(57)【特許請求の範囲】
【請求項１】
吸込口を有する背面板と、吹出口を有し、同吹出口に対応して軸流ファンを取付けた前面板と、対向する左右の側板と、周縁に前記背面板、前面板、および左右の側板を取付ける下向きのフランジを形成した天板と、上面に露受け皿を介して熱交換器を載置し吊金具により同天板に固定される第１の底板と、同第１の底板と共に筐体の底面を形成する第２の底板とでなる空気調和機において、
前記天板の前記吊金具に対応する位置に挿通孔を形成すると共に、各面にそれぞれ異なる方向から螺合するネジ孔を形成した少なくとも２つの取付面を有する多面取付具を設け、同多面取付具の一方の取付面のネジ孔に同天板の挿通孔からネジを螺合して固定し、他方の取付面のネジ孔に、前記第１の底板に備える吊金具の挿通孔よりネジを螺合して固定するようにしたことを特徴とする空気調和機。
【請求項２】
前記多面取付具が、凸字状に形成されてなることを特徴とする請求項１記載の空気調和機。
【請求項３】
前記多面取付具が、角筒状に形成されてなることを特徴とする請求項１記載の空気調和機。
【請求項４】
前記多面取付具が、コ字状に形成されてなることを特徴とする請求項１記載の空気調和機。
【請求項５】
前記多面取付具が、Ｌ字状に形成されてなることを特徴とする請求項１記載の空気調和機。
【請求項６】
前記多面取付具が、角柱状に形成されてなることを特徴とする請求項１記載の空気調和機。
【請求項７】
前記多面取付具が、円柱状に形成されてなることを特徴とする請求項１記載の空気調和機。
【発明の詳細な説明】
【０００１】
【発明の属する技術分野】
本発明は、空気調和機に係わり、とくに天板の取付方法に関する。
【０００２】
【従来の技術】
従来、図１に示すように、吸込口を有する背面板と、吹出口２ａを有し、同吹出口２ａに対応して軸流ファン８ａを取付けた前面板２と、対向する左右の側板３、４と、周縁に前記背面板、前面板２、および左右の側板３、４を取付ける下向きのフランジ５ａを設けた天板５と、上面に露受け皿を介して熱交換器９を載置し同天板５に固定される第１の底板６と、同第１の底板６と共に底を形成する第２の底板７とでなる空気調和機１は、図５、図６に示すように、前記天板５に溶接ボルト２１を溶接する一方、前記第１の底板６に固定した吊金具１０の先端折曲部に、同溶接ボルト２１に対応する挿通孔１０ａを設けていた。
そして、その組立手順は、まず、図示しない背面板、軸流ファン８ａを収納したファンケーシング８を予め取付けた前面板２、左右の側板３、４の各側端部をネジ２０等で固定して枠を組立てると共に、吊金具１０を固定した第１の底板６上に露受け皿を介して熱交換器９を載置する。
つぎに、この組上がった枠を上面を下側にして配置した天板５の上に配置して前記フランジ５ａの挿通孔からネジ２０にて固定する一方、第１の底板６に固定された吊金具１０の挿通孔１０ａに天板５に溶接される溶接ボルト２１を挿入し、ナット２２を螺合して第１の底板６を固定した後、同第１の底板６と前記第２の底板７を前記枠に固定して完成させるようにしていた。
しかし、この構成では、簡単なメンテナンスは空気調和機の底板を外すことにより対応できるが、例えば、空気調和機を床上に置いて、天板側から内部を覗きたい場合、この天板に溶接される溶接ボルトに熱交換器を載置した第１の底板が吊金具を介して固定されているため、天板側からこの溶接ボルトとナットの締結を外せないので天板を外すことができず、メンテナンスできないという問題があった。
【０００３】
【発明が解決しようとする課題】
本発明は以上述べた問題点を解決し、天板側からでも天板を着脱でき、メンテナンス性を向上した空気調和機を提供することを目的としている。
【０００４】
【課題を解決するための手段】
本発明は上述の課題を解決するため、吸込口を有する背面板と、吹出口を有し、同吹出口に対応して軸流ファンを取付けた前面板と、対向する左右の側板と、周縁に前記背面板、前面板、および左右の側板を取付ける下向きのフランジを形成した天板と、上面に露受け皿を介して熱交換器を載置し吊金具により同天板に固定される第１の底板と、同第１の底板と共に筐体の底面を形成する第２の底板とでなる空気調和機において、
前記天板の前記吊金具に対応する位置に対応する挿通孔を形成すると共に、各面にそれぞれ異なる方向から螺合するネジ孔を形成した少なくとも２つの取付面を有する多面取付具を設け、同多面取付具の一方の取付面のネジ孔に同天板の挿通孔からネジを螺合して固定し、他方の取付面のネジ孔に、前記第１の底板に備える吊金具の挿通孔よりネジを螺合して固定するようにした空気調和機としている。
【０００５】
前記多面取付具が、凸字状、角筒状、コ字状、Ｌ字状、角柱状、または円柱状に形成されてなる空気調和機としている。
【０００６】
【発明の実施の形態】
以上のように、本発明の空気調和機においては、天板の吊金具に対応する位置に挿通孔を形成すると共に、各面にそれぞれ異なる方向から螺合するネジ孔を形成した少なくとも２つの取付面を有する多面取付具を設け、同多面取付具の一方の取付面のネジ孔に同天板の挿通孔からネジを螺合して固定し、他方の取付面のネジ孔に、前記第１の底板に備える吊金具の挿通孔よりネジを螺合して固定するようにしたので、天板を上にして空気調和機を置いた場合であっても天板から螺着したネジを外すことにより天板を外すことができる。
【０００７】
【実施例】
以下、図面に基づいて本発明による空気調和機を詳細に説明する。
図１は従来の空気調和機を示す一部分解斜視図、図２は本発明による空気調和機の一実施例を示す図で、図２−（Ａ）は要部分解斜視図、図２−（Ｂ）は図２−（Ａ）の要部拡大図である。
図において、１は天井吊下型空気調和機の本体、２は吹出口２ａを有し、背面に同吹出口２ａに対応して軸流ファン８ａを収容したファンケーシング８を取付けた前面板である。
３および４は対向して左右に配置される左右の側板である。
５は周縁に図示しない背面板、前記前面板２、および左右の側板３、４を取付ける下向きのフランジ５ａ、および天吊金具５ｂを有する天板である。
この天板５には、後述の吊金具１０に対応する位置に挿通孔５ｃが形成されている。
６は上面に露受け皿を形成して熱交換器９を載置し吊金具１０を介して前記天板５に固定される第１の底板である。
７は前記第１の底板と底を形成する第２の底板である。
８は前記軸流ファン８ａを収容したファンケーシング、９は前記熱交換器である。
１０は前記第１の底板６に取付けられる前記吊金具で、挿通孔１０ａおよび挿通孔１０ｂが形成されている。
１１は２面取付具で、コ字状の金具の両端を外側に折曲して凸字状に形成しており、同凸面に上方からネジを切ったネジ孔１１ｂと、延出部の下方からネジを切ったネジ孔１１ａを設けている。
そして、図２−（Ｂ）に示すように、この２面取付具１１は前記天板５の外側から前記挿通孔５ｃを介して延出部に設けたネジ孔１１ａにネジ２０を螺着して固定される。
そして、図２−（Ａ）に示すように、この天板５に固定された２面取付具１１の凸面に設けたネジ孔１１ｂには、前記第１の底板６に固定された吊金具１０の挿通孔１０ａより挿入されたネジ２０が螺着され、第１の底板６が２面取付具１１を介して天板５に固定される。
【０００８】
図３は本発明の空気調和機の前記２面取付具（多面取付具）の他の実施例を示す斜視図である。
図に示すように、前記２面取付具（多面取付具）を凸字状、角筒状、コ字状、Ｌ字状、角柱状、または円柱状に形成してもよい。
【０００９】
以上の構成において、つぎにその組立手順を図２を参照して説明する。
まず、図に示すように、軸流ファン８ａを収容したファンケーシング８を前面板２に固定すると共に、第１の底板６に吊金具１０をネジ２０で固定し、露受皿を介して熱交換器９を載置固定し、また、天板５に前記２面取付具１１を天板５の挿通孔５ｃからネジ２０を螺合して固定する。
つぎに、前記前面板２、図示しない背面板、左右側板３、４の各側端部をネジ２０等で固定して枠を組立てる。
つぎに、この組上がった枠を上面を下側にして配置した天板５の上に配置して天板５のフランジ５ａの挿通孔からネジ２０を螺合して固定し、第１の底板６に固定された吊金具１０の挿通孔１０ａより前記天板５に固定した２面取付具１１の他の面にネジ止めした後、第１の底板６と前記第２の底板７を前記枠にネジ２０で固定して天井吊下型空気調和機の本体１の組立を完了する。
【００１０】
図４は、本発明の空気調和機における、前記天井吊下型空気調和機の本体１を斜め上方より見た一部分解斜視図である。
メンテナンス時は、図に示すように、前記天井吊下型空気調和機の本体１を床に置いた状態であっても、ネジ２０を外すことにより、天板を脱却して内部を確認することができる。
【００１１】
【発明の効果】
以上説明したように、本発明による空気調和機によれば、天板に吊金具に対応する位置に挿通孔を形成すると共に、各面にそれぞれ異なる方向から螺合するネジ孔を形成した少なくとも２つの取付面を有する多面取付具を設け、同多面取付具の一取付面のネジ孔に同天板の挿通孔からネジを螺合して固定し、他の取付面のネジ孔に、前記第１の底板に備える吊金具の挿通孔よりネジを螺合して固定するようにしたので、天板を上にして空気調和機を置いた場合であっても天板から螺着したネジを外すことにより天板を外すことができ、天板側からでも天板を着脱できメンテナンス性を向上した空気調和機を提供することができる。
【図面の簡単な説明】
【図１】従来の空気調和機を示す一部分解斜視図である。
【図２】本発明による空気調和機の一実施例を示す図で、図２−（Ａ）は要部分解斜視図、図２−（Ｂ）は図２−（Ａ）の要部拡大図である。
【図３】本発明の空気調和機の前記２面取付具（多面取付具）の他の実施例を示す斜視図である。
【図４】本発明の空気調和機における、前記天井吊下型空気調和機の本体１を斜め上方より見た一部分解斜視図である。
【図５】従来の空気調和機を示す要部分解斜視図である。
【図６】従来の空気調和機を示す一部分解斜視図である。
【符号の説明】
１  本体
２  前面板
２ａ  吹出口
３、４  左右側板
５  天板
５ａ  フランジ
５ｂ  天吊金具
５ｃ  挿通孔
６  第１の底板
７  第２の底板
８  ファンケーシング
８ａ  軸流ファン
９  熱交換器
１０  吊金具
１０ａ、１０ｂ  挿通孔
１１  ２面取付具
１１ａ、１１ｂ  ネジ孔
２０  ネジ
【図１】
0003837929.tif 000002
【図２】
0003837929.tif 000003
【図３】
0003837929.tif 000004
【図４】
0003837929.tif 000005
【図５】
0003837929.tif 000006
【図６】
0003837929.tif 000007